(57)【要約】上りリンク用の制御情報を含む下りリンク制御情報を効率的に送付先に伝達することを可能にする。  通信システムを構成する基地局装置１は変更部２を備える。ここでは、下りリンク用の所定の周波数帯域内における互いに異なる周波数帯域を持つ複数のコンポーネントキャリアが設定されている。変更部２は、その複数のコンポーネントキャリアのうちで、上りリンク用の制御情報を含む下りリンク制御情報をマッピングする前記コンポーネントキャリアを、所定の処理手順に従って変更する機能を備えている。
2010137672.tif 000002
【特許請求の範囲】
【請求項１】
下りリンク用の所定の周波数帯域内における互いに異なる周波数帯域を持つ複数のコンポーネントキャリアのうちで、上りリンク用の制御情報を含む下りリンク制御情報をマッピングする前記コンポーネントキャリアを、所定の処理手順に従って変更する変更手段を備えている基地局装置。
【請求項２】
前記処理手順は、マッピング対象の前記コンポーネントキャリアの変更を周期的に行わせるための手順を含む請求項１記載の基地局装置。
【請求項３】
前記処理手順は、前記各コンポーネントキャリアの回線品質情報を利用してマッピング対象の前記コンポーネントキャリアを定める手順を含む請求項１又は請求項２記載の基地局装置。
【請求項４】
前記処理手順は、前記回線品質情報に基づいて定まる回線品質のよいコンポーネントキャリアから優先的に前記下りリンク制御情報をマッピングするための手順を含む請求項３記載の基地局装置。
【請求項５】
前記変更手段は、上りリンク用の所定の周波数帯域幅と下りリンク用の所定の周波数帯域幅とが異なる場合に、マッピング対象の前記コンポーネントキャリアを変更する請求項１乃至請求項４の何れか一つに記載の基地局装置。
【請求項６】
請求項１乃至請求項５の何れか一つに記載の基地局装置と、
前記基地局装置から取得した上りリンク用の制御情報および下りリンク制御情報に基づいて前記基地局装置との無線通信を行う移動局と、
を備えている通信システム。
【請求項７】
下りリンク用の所定の周波数帯域内における互いに異なる周波数帯域を持つ複数のコンポーネントキャリアのうちで、上りリンク用の制御情報を含む下りリンク制御情報をマッピングする前記コンポーネントキャリアを変更するために必要な所定の情報を取得し、
その取得した情報と、所定の処理手順とに基づいて、前記下りリンク制御情報のマッピング対象の前記コンポーネントキャリアを変更するマッピング制御方法。
【請求項８】
基地局装置に、
下りリンク用の所定の周波数帯域内における互いに異なる周波数帯域を持つ複数のコンポーネントキャリアのうちで、上りリンク用の制御情報を含む下りリンク制御情報をマッピングする前記コンポーネントキャリアを、所定の処理手順に基づいて変更する処理を行わせるためのプログラムが記録されているプログラム記録媒体。
【発明の詳細な説明】
【技術分野】
【０００１】
本発明は、無線通信に関わる基地局装置、通信システム、マッピング制御方法およびプログラム記録媒体に関する。
【背景技術】
【０００２】
近年、ＬＴＥ（Ｌｏｎｇ  Ｔｅｒｍ  Ｅｖｏｌｕｔｉｏｎ）と呼ばれる通信方式が、３ＧＰＰ（３ｒｄ  Ｇｅｎｅｒａｔｉｏｎ  Ｐａｒｔｎｅｒｓｈｉｐ  Ｐｒｏｊｅｃｔ）により検討され、標準化されている（例えば、非特許文献１参照）。そのＬＴＥは、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）やＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＵＰＡ（Ｈｉｇｈ  Ｓｐｅｅｄ  Ｕｐｌｉｎｋ  Ｐａｃｋｅｔ  Ａｃｃｅｓｓ）の後継となる通信方式である。
ＬＴＥでは、複数のユーザ装置（ＵＥ）が、上りリンク、下りリンク共に１つないし２つ以上の物理チャネルを共有して通信を行う。複数のユーザ装置（ＵＥ）で共有するチャネルは、一般に共有チャネルと呼ばれる。ＬＴＥでは、上りリンクにおいては上り共有物理チャネル（ＰＵＳＣＨ（Ｐｈｙｓｉｃａｌ  Ｕｐｌｉｎｋ  Ｓｈａｒｅｄ  ＣＨａｎｎｅｌ））と呼ばれ、下りリンクにおいては下り共有物理チャネル（ＰＤＳＣＨ（Ｐｈｙｓｉｃａｌ  Ｄｏｗｎｌｉｎｋ  Ｓｈａｒｅｄ  ＣＨａｎｎｅｌ））と呼ばれる。
なお、上述した共有チャネルを用いた通信システムにおいては、サブフレーム（Ｓｕｂ−ｆｒａｍｅ）毎に、どのユーザ装置（ＵＥ）に対して上記共有チャネルを割り当てるかをシグナリングすることが必要である。そのシグナリングのために用いられる制御チャネルは、ＬＴＥでは、物理下りリンク制御チャネル（ＰＤＣＣＨ（Ｐｈｙｓｉｃａｌ  Ｄｏｗｎｌｉｎｋ  Ｃｏｎｔｒｏｌ  ＣＨａｎｎｅｌ））と呼ばれる。または、その制御チャネルは、ＤＬ  Ｌ１／Ｌ２  ＣＣＨ（Ｄｏｗｎｌｉｎｋ  Ｌ１／Ｌ２  Ｃｏｎｔｒｏｌ  ＣＨａｎｎｅｌ）と呼ばれることもある。上記した物理下りリンク制御チャネル（ＰＤＣＣＨ）には、下りリンク制御情報（ＤＣＩ（Ｄｏｗｎｌｉｎｋ  Ｃｏｎｔｒｏｌ  Ｉｎｆｏｒｍａｔｉｏｎ））がマッピングされる。
基地局は、ＤＣＩがマッピングされた物理下りリンク制御チャネル（ＰＤＣＣＨ）をユーザ装置（ＵＥ）に送信する。ユーザ装置（ＵＥ）は、ＰＤＣＣＨにマッピングされているＤＣＩに基づいて、上り共有物理チャネル（ＰＵＳＣＨ）を基地局に送信する。基地局は、ユーザ装置（ＵＥ）から送信された上り共有物理チャネル（ＰＵＳＣＨ）を受信し復号する。
なお、近年では、ＬＴＥ−Ａ（Ｌｏｎｇ  Ｔｅｒｍ  Ｅｖｏｌｕｔｉｏｎ−Ａｄｖａｎｃｅｄ）のように下りリンク用の周波数帯域幅と上りリンク用の周波数帯域幅が異なる場合に、上りリンク用の制御情報を含むＤＣＩを効率的に送信（伝達）することが所望されている。
ところで、例えば、特許文献１には、制御チャネルに用いる無線リソース量を通知する技術が開示されている。
また、特許文献２には、基地局装置２００が端末装置から受信した受信状態情報に基づき、該端末装置に通信データを送信するチャネルを割り当てる技術が開示されている。
さらに、特許文献３には、上りリンク制御チャネルに制御情報を効率的に多重し、無線リソースを効率的に使用する技術が開示されている。
【先行技術文献】
【特許文献】
【０００３】
【特許文献１】特開２００８−２７８３４１号公報
【特許文献２】特開２００８−２７１１９９号公報
【特許文献３】特開２００９−４９５３９号公報
【非特許文献】
【０００４】
【非特許文献１】３ＧＰＰ  ＴＳ  ３６．２１２（Ｖ８．５．０），″Ｍｕｌｔｉｐｌｅｘｉｎｇ  ａｎｄ  ｃｈａｎｎｅｌ  ｃｏｄｉｎｇ″，Ｄｅｃｅｍｂｅｒ  ２００８
【発明の概要】
【発明が解決しようとする課題】
【０００５】
しかしながら、上記特許文献１には、上記したように、制御チャネルに用いる無線リソース量を通知する技術は開示されているが、上りリンク用の制御情報を含むＤＣＩを効率的に伝達するための技術は開示されていない。また、上記特許文献２，３には、無線リソースを効率的に使用するための技術は開示されているが、特許文献１と同様に、上りリンク用の制御情報を含むＤＣＩを効率的に伝達するための技術は開示されていない。
本発明は上記事情に鑑みてなされたものである。つまり、本発明の目的は、上りリンク用の制御情報を含む下りリンク制御情報を効率的に伝達することが可能な基地局装置、通信システム、マッピング制御方法及びプログラム記録媒体を提供することにある。
【課題を解決するための手段】
【０００６】
本発明の基地局装置は、
下りリンク用の所定の周波数帯域内における互いに異なる周波数帯域を持つ複数のコンポーネントキャリアのうちで、上りリンク用の制御情報を含む下りリンク制御情報をマッピングする前記コンポーネントキャリアを、所定の処理手順に従って変更する変更手段を備えている。
本発明の通信システムは、
上記本発明の基地局装置と、
前記基地局装置から取得した上りリンク用の制御情報および下りリンク制御情報に基づいて前記基地局装置との無線通信を行う移動局と、
を備えている。
本発明のマッピング制御方法は、
下りリンク用の所定の周波数帯域内における互いに異なる周波数帯域を持つ複数のコンポーネントキャリアのうちで、上りリンク用の制御情報を含む下りリンク制御情報をマッピングする前記コンポーネントキャリアを変更するために必要な所定の情報を取得し、
その取得した情報と、所定の処理手順とに基づいて、前記下りリンク制御情報のマッピング対象の前記コンポーネントキャリアを変更する。
本発明のプログラム記録媒体は、
基地局装置に、
下りリンク用の所定の周波数帯域内における互いに異なる周波数帯域を持つ複数のコンポーネントキャリアのうちで、上りリンク用の制御情報を含む下りリンク制御情報をマッピングする前記コンポーネントキャリアを、所定の処理手順に基づいて変更する処理を行わせるためのプログラムが記録されている。
【発明の効果】
【０００７】
本発明によれば、上りリンク用の制御情報を含む下りリンク制御情報を効率的に伝達することができる。
【図面の簡単な説明】
【０００８】
図１ａは、第１実施形態の基地局装置を説明するためのブロック図である。
図１ｂは、第１実施形態の基地局装置にプログラムを与えるプログラム記録媒体を含む基地局装置のブロック構成図である。
図１ｃは、第１実施形態の基地局装置におけるマッピング制御処理の手順を表した図である。
図１ｄは、第１実施形態の基地局装置を含む通信システムの一例を表したブロック図である。
図２は、第２実施形態の通信システムのシステム構成例を示す図である。
図３は、基地局装置と移動局の内部構成例を示すブロック図である。
図４は、下りリンクと上りリンクの周波数帯域の区分例を示す図である。
図５は、上りリンク用の制御情報を含むＤＣＩ（Ｄｏｗｎｌｉｎｋ  Ｃｏｎｔｒｏｌ  Ｉｎｆｏｒｍａｔｉｏｎ）をＣＣ（Ｃｏｍｐｏｎｅｎｔ  Ｃａｒｒｉｅｒ）にマッピングする例を説明するための図である。
図６は、ＤＣＩをＣＣにマッピングするその他の例を説明するための図である。
【発明を実施するための形態】
【０００９】
［第１実施形態］
図１ａに示されるように、第１実施形態の基地局装置１は、変更手段である変更部２を備えている。この第１実施形態では、下りリンク用の所定の周波数帯域には、互いに異なる周波数帯域を持つ複数のコンポーネントキャリアが設定されている。変更部２は、そのような複数のコンポーネントキャリアのうちで、上りリンク用の制御情報を含む下りリンク制御情報をマッピングする前記コンポーネントキャリアを、所定の処理手順に従って変更する機能を備えている。
この第１実施形態では、基地局装置１は、前記上りリンク用の制御情報を含む前記下りリンク制御情報をマッピングする前記コンポーネントキャリアを次のように変更する。
例えば、まず、前記上りリンク用の制御情報を含む前記下りリンク制御情報をマッピングする前記コンポーネントキャリアを変更するために必要な所定の情報を取得する（図１ｃのステップＳ１）。
次に、その取得した情報と、所定の処理手順とに基づいて、前記下りリンク制御情報のマッピング対象の前記コンポーネントキャリアを変更する（ステップＳ２）。
このような基地局装置１の動作（制御）手順を実行させるためのプログラムは、図１ｂの点線に示されるようなプログラム記録媒体３に記録されている。基地局装置１は、そのプログラム記録媒体３の前記プログラムに従って動作することにより、上記のように前記下りリンク制御情報のマッピング対象の前記コンポーネントキャリアを変更する。
この第１実施形態の基地局装置１では、上記のように、前記下りリンク制御情報のマッピング対象の前記コンポーネントキャリアを変更するので、前記下りリンク制御情報を効率的に送信相手に送信できる。つまり、下りリンク用の複数のコンポーネントキャリアは、それぞれ、回線品質（回線状態）が様々な原因により変化する。このために、前記下りリンク制御情報のマッピング対象の前記コンポーネントキャリアを変更しないと、次のような問題が生じる。つまり、マッピング対象として固定的に設定されたコンポーネントキャリアの回線品質が悪化している状態が継続すると、下りリンク制御情報を効率的に伝達できないという問題が生じる。これに対して、この第１実施形態では、上記のように、基地局装置１は、下りリンク制御情報のマッピング対象の前記コンポーネントキャリアを変更できる。このため、例えば、基地局装置１は、回線品質の監視情報に基づき回線品質のよいコンポーネントキャリアに下りリンク制御情報がマッピングされるようにマッピング対象のコンポーネントキャリアを変更する。これにより、基地局装置１は、下りリンク制御情報を効率的に送信（伝達）できるようになる。
上記のような基地局装置１は、図１ｄに示されるような通信システム５を構築できる。つまり、通信システム５は、基地局装置１と、移動局６とを備えている。移動局６は、基地局装置１から取得した上りリンク制御用の制御情報および下りリンク制御情報に基づいて基地局装置１との無線通信を行う機能を備えている。
この通信システム５においては、基地局装置１を備えているので、基地局装置１から移動局６に、下りリンク制御情報を効率的に送信（伝達）することができる。これにより、例えば、基地局装置１と移動局６との間におけるデータ通信の高速化を図ることができる。
［第２実施形態］
まず、図２を参照しながら、第２実施形態の通信システムの概要について説明する。
第２実施形態の通信システムは、基地局（基地局装置）１００と、移動局２００−１〜ｎとを含む通信システムである。
この第２実施形態では、基地局１００は、変更部（変更手段）１１と、送信部１２とを備えている。変更部１１は、上りリンク用の制御情報を含む下りリンク制御情報（ＤＣＩ（Ｄｏｗｎｌｉｎｋ  Ｃｏｎｔｒｏｌ  Ｉｎｆｏｒｍａｔｉｏｎ））をマッピングするコンポーネントキャリア（ＣＣ（Ｃｏｍｐｏｎｅｎｔ  Ｃａｒｒｉｅｒ））を変更する機能を備えている。送信部１２は、ＣＣを変調した物理下りリンク制御チャネル（ＰＤＣＣＨ（Ｐｈｙｓｉｃａｌ  Ｄｏｗｎｌｉｎｋ  Ｃｏｎｔｒｏｌ  ＣＨａｎｎｅｌ））を移動局２００−１〜ｎに向けて送信する機能を備えている。
この第２実施形態では、移動局２００−１〜ｎは、受信部２１と、取得部２２と、送信部２３とを備えている。受信部２１は、基地局１００から送信されたＰＤＣＣＨを受信する機能を備えている。取得部２２は、ＰＤＣＣＨのＣＣにマッピングされたＤＣＩを取得する（デマッピングする）機能を備えている。送信部２３は、取得部２２が取得したＤＣＩに含まれる上りリンク用の制御情報を基に、上り共有物理チャネル（ＰＵＳＣＨ（Ｐｈｙｓｉｃａｌ  Ｕｐｌｉｎｋ  Ｓｈａｒｅｄ  ＣＨａｎｎｅｌ））を基地局１００に送信する機能を備えている。
第２実施形態の通信システムでは、上記構成を有することで、基地局１００は、移動局２００−１〜ｎに、上りリンク用の制御情報を含むＤＣＩ（Ｄｏｗｎｌｉｎｋ  Ｃｏｎｔｒｏｌ  Ｉｎｆｏｒｍａｔｉｏｎ）を効率的に送信できる。
（システム構成）
以下、添付図面を参照しながら、第２実施形態の通信システムについて詳細に説明する。
まず、図２を参照しながら、第２実施形態の通信システムのシステム構成例について説明する。第２実施形態の通信システムは、例えば、Ｅ−ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）やＵＴＲＡＮ（ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）Ｔｅｒｒｅｓｔｒｉａｌ  Ｒａｄｉｏ  Ａｃｃｅｓｓ  Ｎｅｔｗｏｒｋ）等に適用可能である。
第２実施形態の通信システムは、基地局１００と、移動局２００−１〜ｎ（ｎは任意の整数）と備えている。第２実施形態の通信システムでは、基地局１００の配下に存在する移動局２００−１〜ｎは、基地局１００に接続し、当該基地局１００を介してコアネットワーク（ＣＮ）と通信を行うことになる。
第２実施形態の基地局１００は、図３に示すように、ＤＣＩ（Ｄｏｗｎｌｉｎｋ  Ｃｏｎｔｒｏｌ  Ｉｎｆｏｒｍａｔｉｏｎ）生成部１０１と、符号化部１０２と、ＣＣ（Ｃｏｍｐｏｎｅｎｔ  Ｃａｒｒｉｅｒ）マッピング部１０３とを備えている。当該基地局１００は、さらに、制御部１０４と、送受信部１０５と、ＣＣデマッピング部１０６と、復号部１０７と備えている。
第２実施形態の移動局２００−１〜ｎは、図３に示すように、送受信部２０１と、ＣＣデマッピング部２０２と、ブラインド復号部２０３と、ＤＣＩ検出部２０４とを備えている。当該移動局２００−１〜ｎは、さらに、ＵＬ−ＳＣＨ（ＵｐＬｉｎｋ−Ｓｈａｒｅｄ  ＣＨａｎｎｅｌ）生成部２０５と、符号化部２０６と、ＣＣマッピング部２０７と備えている。
基地局１００のＤＣＩ生成部１０１は、ＤＣＩを生成する機能を備えている。例えば、ＤＣＩ生成部１０１は、上りリンクや下りリンクのリソース割当情報、ＨＡＲＱ（Ｈｙｂｒｉｄ  Ａｕｔｏｍａｔｉｃ  Ｒｅｐｅａｔ  ｒｅＱｕｅｓｔ）に関する情報、ＡＭＣ（Ａｄａｐｔｉｖｅ  Ｍｏｄｕｌａｔｉｏｎ  ａｎｄ  Ｃｏｄｉｎｇ）に関する情報等をＤＣＩとして生成する。例えば、ＬＴＥ（Ｌｏｎｇ  Ｔｅｒｍ  Ｅｖｏｌｕｔｉｏｎ）標準化上では、下りリンク制御情報（ＤＣＩ）に多重する上りリンク用の制御情報は、ｆｏｒｍａｔ０と定義されている。
図４に、ＬＴＥ−Ａ（Ｌｏｎｇ  Ｔｅｒｍ  Ｅｖｏｌｕｔｉｏｎ−Ａｄｖａｎｃｅｄ）で想定されているＬＴＥを拡張した周波数割当の例を示す。ここでは、ＬＴＥと基本的に同様な基本周波数帯域を２０ＭＨｚ帯域幅のコンポーネントキャリア（ＣＣ（Ｃｏｍｐｏｎｅｎｔ  Ｃａｒｒｉｅｒ））として使用する。例えば、図４では、下りリンク用の周波数帯域幅は１００ＭＨｚ帯域幅である。その下りリンク用の周波数帯域には、５つのＣＣ（下りＣＣ）が設定されている。また、上りリンク用の周波数帯域幅は４０ＭＨｚ帯域幅である。その上りリンク用の周波数帯域には、２つのＣＣ（上りＣＣ）が設定されている。
第２実施形態の通信システムにおいて、ＣＣ毎にＨＡＲＱやＡＭＣの制御を行う場合、ＣＣ毎に独立した上りリンク用の制御情報が必要となる。例えば、図４の例では、上りリンクには２つの上りＣＣが設定されているため、上りリンク用の制御情報が２つ必要である。この場合、基地局１００は、その２つの上りリンク用の制御情報（ｆｏｒｍａｔ０の制御情報）を、それぞれ、下りリンクで使用する５つの下りＣＣのどこかにＤＣＩとしてマッピングすることになる。そのマッピングは次のように行われる。
すなわち、図３に示される基地局１００の制御部１０４は、移動局２００から報告された周波数帯域に関する情報を基に、移動局２００が使用する周波数帯域（ＣＣ）を確認する。これにより、制御部１０４は、上りリンクで上りリンク用の制御情報が２つ必要なことを把握する。
ＤＣＩ生成部１０１は、上りリンクで必要とする上りリンク用の制御情報（ｆｏｒｍａｔ０の制御情報）を含んだＤＣＩを生成する。符号化部１０２は、ＤＣＩ生成部１０１で生成したＤＣＩの符号化処理を行う。制御部１０４は、下りリンクで使用する５つの下りＣＣの中からＤＣＩをマッピングするＣＣを後述のように決定する。つまり、制御部１０４は、上りリンク用の制御情報を含んだＤＣＩをマッピングするＣＣを変更する変更部（変更手段）としての機能を備えている。
ＣＣマッピング部１０３は、制御部１０４が決定したＣＣにＤＣＩをマッピングする。送受信部１０５は、下りリンクに使用するＣＣを変調処理し、当該変調後のＣＣをＰＤＣＣＨ（Ｐｈｙｓｉｃａｌ  Ｄｏｗｎｌｉｎｋ  Ｃｏｎｔｒｏｌ  ＣＨａｎｎｅｌ）として送信する。
移動局２００は、基地局１００が送信したＰＤＣＣＨを受信する。送受信部２０１は、移動局２００が受信したＰＤＣＣＨを復調する。ＣＣデマッピング部２０２は、多重されている下りＣＣからＤＣＩをデマッピングする。ブラインド復号部２０３は、ＤＣＩの復号処理を行う。ＤＣＩ検出部２０４は、自局２００宛のＤＣＩを検出する。つまり、ＤＣＩにはＣＲＣ（Ｃｙｃｌｉｃ  Ｒｅｄｕｎｄａｎｃｙ  Ｃｈｅｃｋ）が含まれている。当該ＣＲＣには、ＤＣＩの宛先である移動局２００固有の番号が多重化されている。その固有の番号によって自局２００宛のＤＣＩのみがＣＲＣ  ＯＫとなるため、ＤＣＩ検出部２０４は、自局２００宛のＤＣＩを検出できる。第２実施形態では、ＤＣＩ検出部２０４で検出した自局２００宛のＤＣＩの中で上りリンク用の制御情報（ｆｏｒｍａｔ０の制御情報）を上りリンクのＰＵＳＣＨ（Ｐｈｙｓｉｃａｌ  Ｕｐｌｉｎｋ  Ｓｈａｒｅｄ  ＣＨａｎｎｅｌ）の制御に利用する。
ＵＬ−ＳＣＨ生成部２０５は、上りデータチャネルを生成する。符号化部２０６は、上りデータチャネルの符号化処理を行う。ＣＣマッピング部２０７は、ＤＣＩ検出部２０４で検出した上りリンク用の制御情報を基に、リソース割当、ＨＡＲＱ、ＡＭＣ等の制御を行う。さらに、ＣＣマッピング部２０７は、上りリンクで使用する２つの上りＣＣに制御情報をマッピングする。送受信部２０１は、上りリンクに使用するＣＣの変調処理を行い、変調後のＣＣをＰＵＳＣＨ（Ｐｈｙｓｉｃａｌ  Ｕｐｌｉｎｋ  Ｓｈａｒｅｄ  ＣＨａｎｎｅｌ）として送信する。
基地局１００は、移動局２００が送信したＰＵＳＣＨを受信する。送受信部１０５は、基地局１００が受信したＰＵＳＣＨを復調する。ＣＣデマッピング部１０６は、多重化されている上りＣＣから制御情報をデマッピングする。復号部１０７は、制御情報の復号処理を行う。制御部１０４は、復号部１０７で復号処理を行って得られた制御情報（例えば、ＣＱＩ（Ｃｈａｎｎｅｌ  Ｑｕａｌｉｔｙ  Ｉｎｆｏｒｍａｔｉｏｎ））を利用し、下りリンクで使用する５つの下りＣＣの中からＤＣＩをマッピングするＣＣを後述のように決定する。
（上りリンク用の制御情報を含んだＤＣＩのマッピングの処理動作）
次に、上りリンク用の制御情報を含んだＤＣＩをＣＣにマッピングする際の処理動作について説明する。上りリンク用の制御情報を含んだＤＣＩをＣＣにマッピングする例を図５に示す。
図５に示す表において、各行は、下りリンク用の周波数帯域に設定されたＣＣの『下りＣＣ番号』を示し、各列は、下りＣＣにマッピングする『ＤＣＩ番号』を示す。
この例では、下りリンク用の周波数帯域幅は１００ＭＨｚ帯域幅である。下りリンク用の周波数帯域には、図４に示されるような２０ＭＨｚ帯域幅の下りＣＣ（ＣＣ＃０〜ＣＣ＃４）が５つ設定されている。また、上りリンク用の周波数帯域幅は４０ＭＨｚ帯域幅である。上りリンク用の周波数帯域には、２０ＭＨｚ帯域幅の上りＣＣ（ＣＣ＃０〜ＣＣ＃１）が２つ設定されている。このように下りＣＣと上りＣＣが設定されている場合には、２つの上りＣＣのための制御情報（上りリンク用の制御情報）を下りＣＣに割り当てる組み合わせは、図５に示すように１５通りの組み合わせになる。
図５において、丸（○）は、上りリンク用の制御情報を含んだＤＣＩをマッピングする下りＣＣの場所、及び、上りリンク用の制御情報として使用するＤＣＩの番号を示す。図５では、上りリンク用の制御情報を含んだ２つのＤＣＩを同じ下りＣＣにマッピングする場合も考慮している。例えば、図５に示す表（１）は、下りＣＣ番号＝０に２つのＤＣＩをマッピングする場合を示している。
なお、図５では、１つの移動局２００に対する上りリンク用の制御情報を含ませたＤＣＩを下りＣＣにマッピングする場合のマッピング例を示した。これに対して、複数の移動局２００に対してそれぞれ上りリンク用の制御情報を送信する場合には、基地局１００は、各移動局２００に対応する上りリンク用の制御情報を含んだＤＣＩを動的に下りＣＣにマッピングすることになる。
この第２実施形態では、例えば、基地局１００は、上記のような図５におけるマッピング対象のＣＣの組み合わせの全て又は一部を使用し、周期的（例えば、ＴＴＩ（Ｔｒａｎｓｍｉｔ  Ｔｉｍｅ  Ｉｎｔｅｒｖａｌ）毎）にＤＣＩをマッピングするＣＣを変更する。このように、マッピング対象のＣＣを、周期的に、変更することによって、基地局１００は、制御を簡単にしつつ、ある程度の周波数ダイバーシティ効果を得ることができる。
また、通信品質を向上させるためには、各移動局２００で測定して基地局１００に報告される回線品質を表すＣＱＩ（Ｃｈａｎｎｅｌ  Ｑｕａｌｉｔｙ  Ｉｎｆｏｒｍａｔｉｏｎ）を利用することが好ましい。つまり、この場合には、基地局１００は、移動局２００がＣＣ毎に測定したＣＱＩを基に、回線品質のよい周波数帯域（下りＣＣ）を検知する。そして、基地局１００は、その回線品質のよい下りＣＣから、上りリンク用の制御情報を含んだＤＣＩを優先的にマッピングするように制御する。例えば、移動局２００から取得したＣＱＩを基に、回線品質のよい下りＣＣの順番が、ＣＣ＃２→ＣＣ＃４→ＣＣ＃０→ＣＣ＃１→ＣＣ＃３であると基地局１００が判断したとする。この場合には、基地局１００は、上りリンク用の制御情報を含む２つのＤＣＩを、それぞれ、ＣＣ＃２とＣＣ＃４とにマッピングするように制御する。
また、複数の移動局２００が存在する場合、基地局１００は、各移動局２００の下りＣＱＩを基にスケジューリングを行う。そして、基地局１００は、各移動局２００に必要な下りＣＣを各移動局２００に割り当る。さらに、基地局１００は、その各移動局２００に割り当てた下りＣＣにＤＣＩをマッピングする。ただし、下りＣＣにマッピング可能なＤＣＩの数は限られる。このため、下りＣＣにマッピング可能なＤＣＩの数をも考慮して各移動局２００に下りＣＣを割り当てるようにスケジューリングすることが好ましい。
なお、上りリンクに使用するＣＣ＃０とＣＣ＃１での無線通信のための２つの上りリンク用の制御情報に優先度を持たせる場合には、その上りリンク用の制御情報を含むＤＣＩに優先度を持たせるように規定することもできる。このようにＤＣＩに優先度を持たせる場合は、ＤＣＩをマッピングする下りＣＣの組み合わせは、図６に示すように、３０通りになる。
図６において、丸（○）の中の番号がＤＣＩの優先度を示す。上記のようにＤＣＩが優先度を持つ場合には、優先度１のＤＣＩ（つまり、優先度の高いＤＣＩ）から順番に下りリンクのＣＣに割り当てる。例えば、上りＣＣ＃０→ＣＣ＃１の優先度が設定されているとする。図６における表（１）では、下りＣＣ番号＝０、ＤＣＩ番号＝０のＤＣＩが優先度１であり、下りＣＣ番号＝０、ＤＣＩ番号＝１のＤＣＩが優先度２である。この場合、下りＣＣ番号＝０、ＤＣＩ番号＝０のＤＣＩに含まれる上りリンク用の制御情報を上りリンクのＣＣ＃０に割り当る。また、下りＣＣ番号＝０、ＤＣＩ番号＝１のＤＣＩに含まれる上りリンク用の制御情報を上りリンクのＣＣ＃１に割り当てる。また、移動局２００から取得したＣＱＩを基に、回線品質のよい下りＣＣの順番が、ＣＣ＃２→ＣＣ＃４→ＣＣ＃０→ＣＣ＃１→ＣＣ＃３であると基地局１００が判断したとする。この場合には、回線品質のよい下りＣＣ＃２から優先的にＤＣＩをマッピングする。
（通信システムの作用・効果）
ＬＴＥ−Ａのように、下りリンクで使用する周波数帯域幅と、上りリンクで使用する周波数帯域幅とが異なる場合がある。このような場合に、第２実施形態の通信システムでは、基地局１００は、上りリンク用の制御情報を含むＤＣＩ（Ｄｏｗｎｌｉｎｋ  Ｃｏｎｔｒｏｌ  Ｉｎｆｏｒｍａｔｉｏｎ）をマッピングするマッピング対象のＣＣ（Ｃｏｍｐｏｎｅｎｔ  Ｃａｒｒｉｅｒ）を変更できる。例えば、基地局１００は、マッピング対象のＣＣを周期的に変更する。これにより、制御を簡単にしつつ、ある程度の周波数ダイバーシティ効果を得ることができる。
また、例えば、基地局１００は、移動局２００から取得したＣＱＩ（Ｃｈａｎｎｅｌ  Ｑｕａｌｉｔｙ  Ｉｎｆｏｒｍａｔｉｏｎ）に応じてＣＣを変更することによって、通信品質を向上させることができる。
さらに、複数の移動局２００−１〜ｎが存在する場合には、基地局１００は、例えば、各移動局２００−１〜ｎのＣＱＩや下りＣＣにマッピング可能なＤＣＩの上限数等を考慮して、各移動局２００−１〜ｎに下りＣＣを動的に割り当てる。そして、基地局１００は、その各移動局２００−１〜ｎに動的に割り当てた下りＣＣにＤＣＩをマッピングする。このようにＤＣＩをＣＣにマッピングすることで、基地局１００は、各移動局２００−１〜ｎに向けて、効率的にＤＣＩを送信できる。
［その他の実施形態］
なお、上述した各実施形態は、本発明の好適な実施形態であり、上記実施形態のみに本発明の範囲を限定するものではなく、本発明の要旨を逸脱しない範囲において種々の変更を施した形態での実施が可能である。
例えば、各実施形態における通信システムは、３ＧＰＰのＶｅｒｓｉｏｎには依存せずに処理を行うことが可能である。
また、上述した各実施形態における通信システムを構成する各装置における制御動作は、ハードウェア、または、ソフトウェア、あるいは、両者の複合構成を用いて実行することも可能である。
なお、ソフトウェアを用いて処理を実行する場合には、処理シーケンス（処理手順）を記録したプログラムが、専用のハードウェアに組み込まれているコンピュータ内のメモリにインストールされる。そして、そのコンピュータがメモリのプログラムに従って動作することにより前記処理が実行される。あるいは、各種処理が実行可能な汎用コンピュータのメモリにプログラムをインストールすることにより、その汎用コンピュータによって処理が実行される。
例えば、プログラムは、記録媒体としてのハードディスクやＲＯＭ（Ｒｅａｄ  Ｏｎｌｙ  Ｍｅｍｏｒｙ）に予め記録しておくことが可能である。あるいは、プログラムは、リムーバブル記録媒体に、一時的、あるいは、永続的に格納（記録）しておくことが可能である。このようなリムーバブル記録媒体は、いわゆるパッケージソフトウエアとして提供することが可能である。リムーバブル記録媒体としては、フロッピー（登録商標）ディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＭＯ（Ｍａｇｎｅｔｏ  ｏｐｔｉｃａｌ）ディスク、ＤＶＤ（Ｄｉｇｉｔａｌ  Ｖｅｒｓａｔｉｌｅ  Ｄｉｓｃ）、磁気ディスク、半導体メモリなどが挙げられる。
なお、プログラムは、上述したようなリムーバブル記録媒体からコンピュータにインストールすることになる。または、ダウンロードサイトから、コンピュータに無線転送することになる。または、ネットワークを介して、コンピュータに有線で転送することになる。
また、各実施形態における通信システムは、各実施形態で説明した処理動作に従って時系列的に処理を実行するだけではない。例えば、通信システムは、処理を実行する装置の処理能力、あるいは、必要に応じて並列的にあるいは個別に処理を実行するように構築することも可能である。
また、各実施形態における通信システムは、複数の装置の論理的集合構成にしたり、各構成の装置が同一筐体内に存在する構成にするように構築することが可能である。
さらに、その他の実施形態として、基地局は、上りリンク用の制御情報を含むＤＣＩ（Ｄｏｗｎｌｉｎｋ  Ｃｏｎｔｒｏｌ  Ｉｎｆｏｒｍａｔｉｏｎ）をマッピングするＣＣ（Ｃｏｍｐｏｎｅｎｔ  Ｃａｒｒｉｅｒ）を変更する変更手段を有していてもよい。
さらに、その他の実施形態として、移動局は、
上りリンク用の制御情報を含むＤＣＩ（Ｄｏｗｎｌｉｎｋ  Ｃｏｎｔｒｏｌ  Ｉｎｆｏｒｍａｔｉｏｎ）をマッピングしたＣＣ（Ｃｏｍｐｏｎｅｎｔ  Ｃａｒｒｉｅｒ）を変調したＰＤＣＣＨ（Ｐｈｙｓｉｃａｌ  Ｄｏｗｎｌｉｎｋ  Ｃｏｎｔｒｏｌ  ＣＨａｎｎｅｌ）を受信する受信手段と、
前記ＰＤＣＣＨの前記ＣＣにマッピングされた前記ＤＣＩを取得する取得手段と、
前記取得手段により取得した前記ＤＣＩに含まれる上りリンク用の制御情報を基に、ＰＵＳＣＨ（Ｐｈｙｓｉｃａｌ  Ｕｐｌｉｎｋ  Ｓｈａｒｅｄ  ＣＨａｎｎｅｌ）を送信する送信手段と、
を備える。
さらに、その他の実施形態として、通信システムは、基地局と、移動局と、を少なくとも有して構成する通信システムであって、
前記基地局は、
上りリンク用の制御情報を含むＤＣＩ（Ｄｏｗｎｌｉｎｋ  Ｃｏｎｔｒｏｌ  Ｉｎｆｏｒｍａｔｉｏｎ）をマッピングするＣＣ（Ｃｏｍｐｏｎｅｎｔ  Ｃａｒｒｉｅｒ）を変更する変更手段と、
前記ＣＣを変調したＰＤＣＣＨ（Ｐｈｙｓｉｃａｌ  Ｄｏｗｎｌｉｎｋ  Ｃｏｎｔｒｏｌ  ＣＨａｎｎｅｌ）を前記移動局に送信する送信手段と、
を備える。
さらに、その他の実施形態として、制御方法は、基地局で行う制御方法であって、上りリンク用の制御情報を含むＤＣＩ（Ｄｏｗｎｌｉｎｋ  Ｃｏｎｔｒｏｌ  Ｉｎｆｏｒｍａｔｉｏｎ）をマッピングするＣＣ（Ｃｏｍｐｏｎｅｎｔ  Ｃａｒｒｉｅｒ）を変更する変更工程を有する。
さらに、移動局で行う制御方法は、
上りリンク用の制御情報を含むＤＣＩ（Ｄｏｗｎｌｉｎｋ  Ｃｏｎｔｒｏｌ  Ｉｎｆｏｒｍａｔｉｏｎ）をマッピングしたＣＣ（Ｃｏｍｐｏｎｅｎｔ  Ｃａｒｒｉｅｒ）を変調したＰＤＣＣＨ（Ｐｈｙｓｉｃａｌ  Ｄｏｗｎｌｉｎｋ  Ｃｏｎｔｒｏｌ  ＣＨａｎｎｅｌ）を受信する受信工程と、
前記ＰＤＣＣＨの前記ＣＣにマッピングされた前記ＤＣＩを取得する取得工程と、
前記取得工程により取得した前記ＤＣＩに含まれる上りリンク用の制御情報を基に、ＰＵＳＣＨ（Ｐｈｙｓｉｃａｌ  Ｕｐｌｉｎｋ  Ｓｈａｒｅｄ  ＣＨａｎｎｅｌ）を送信する送信工程と、
を有する。
さらに、その他の実施形態として、基地局に実行させるプログラムは、上りリンク用の制御情報を含むＤＣＩ（Ｄｏｗｎｌｉｎｋ  Ｃｏｎｔｒｏｌ  Ｉｎｆｏｒｍａｔｉｏｎ）をマッピングするＣＣ（Ｃｏｍｐｏｎｅｎｔ  Ｃａｒｒｉｅｒ）を変更する変更処理を、コンピュータに実行させるものである。
さらに、その他の実施形態として、移動局に実行させるプログラムは、
上りリンク用の制御情報を含むＤＣＩ（Ｄｏｗｎｌｉｎｋ  Ｃｏｎｔｒｏｌ  Ｉｎｆｏｒｍａｔｉｏｎ）をマッピングしたＣＣ（Ｃｏｍｐｏｎｅｎｔ  Ｃａｒｒｉｅｒ）を変調したＰＤＣＣＨ（Ｐｈｙｓｉｃａｌ  Ｄｏｗｎｌｉｎｋ  Ｃｏｎｔｒｏｌ  ＣＨａｎｎｅｌ）を受信する受信処理と、
前記ＰＤＣＣＨの前記ＣＣにマッピングされた前記ＤＣＩを取得する取得処理と、
前記取得処理により取得した前記ＤＣＩに含まれる上りリンク用の制御情報を基に、ＰＵＳＣＨ（Ｐｈｙｓｉｃａｌ  Ｕｐｌｉｎｋ  Ｓｈａｒｅｄ  ＣＨａｎｎｅｌ）を送信する送信処理と、
を、コンピュータに実行させる。
前述した特許文献１〜３や、非特許文献１には、上りリンク用の制御情報を含むＤＣＩ（Ｄｏｗｎｌｉｎｋ  Ｃｏｎｔｒｏｌ  Ｉｎｆｏｒｍａｔｉｏｎ）をマッピングするＣＣ（Ｃｏｍｐｏｎｅｎｔ  Ｃａｒｒｉｅｒ）を変更する点については何ら記載も示唆もされていない。これに対して、上記のようなその他の実施形態の基地局や通信システムや制御方法やプログラムを備えることによって、上りリンク用の制御情報を含むＤＣＩをマッピングするＣＣを変更できる。
以上、実施形態を参照して本願発明を説明したが、本願発明は上記実施形態に限定されるものではない。本願発明の構成や詳細には、本願発明のスコープ内で当業者が理解し得る様々な変更をすることができる。
なお、この出願は、２００９年５月２５日に出願された日本出願特願２００９−１２５４３５を基礎とする優先権を主張し、その開示の全てをここに取り込む。
【産業上の利用可能性】
【００１０】
本発明は、基地局装置を介した無線通信のシステムに有効である。
【符号の説明】
【００１１】
１００  基地局
２００−１〜ｎ  移動局
１０１  ＤＣＩ生成部
１０２  符号化部
１０３  ＣＣマッピング部
１０４  制御部
１０５  送受信部
１０６  ＣＣデマッピング部
１０７  復号部
２０１  送受信部
２０２  ＣＣデマッピング部
２０３  ブラインド復号部
２０４  ＤＣＩ検出部
２０５  ＵＬ−ＣＳＨ生成部
２０６  符号化部
２０７  ＣＣマッピング部
【図１ａ】
2010137672.tif 000003
【図１ｂ】
2010137672.tif 000004
【図１ｃ】
2010137672.tif 000005
【図１ｄ】
2010137672.tif 000006
【図２】
2010137672.tif 000007
【図３】
2010137672.tif 000008
【図４】
2010137672.tif 000009
【図５】
2010137672.tif 000010
【図６】
2010137672.tif 000011
【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
下りリンク用の所定の周波数帯域内における互いに異なる周波数帯域を持つ複数のコンポーネントキャリアのうちで、上りリンク用の制御情報を含む下りリンク制御情報をマッピングする前記コンポーネントキャリアを、所定の処理手順に従って変更する変更手段を備えている基地局装置。
【請求項２】
前記処理手順は、マッピング対象の前記コンポーネントキャリアの変更を周期的に行わせるための手順を含む請求項１記載の基地局装置。
【請求項３】
前記処理手順は、前記各コンポーネントキャリアの回線品質情報を利用してマッピング対象の前記コンポーネントキャリアを定める手順を含む請求項１又は請求項２記載の基地局装置。
【請求項４】
前記処理手順は、前記回線品質情報に基づいて定まる回線品質のよいコンポーネントキャリアから優先的に前記下りリンク制御情報をマッピングするための手順を含む請求項３記載の基地局装置。
【請求項５】
前記変更手段は、上りリンク用の所定の周波数帯域幅と下りリンク用の所定の周波数帯域幅とが異なる場合に、マッピング対象の前記コンポーネントキャリアを変更する請求項１乃至請求項４の何れか一つに記載の基地局装置。
【請求項６】
請求項１乃至請求項５の何れか一つに記載の基地局装置と、
前記基地局装置から取得した上りリンク用の制御情報および下りリンク制御情報に基づいて前記基地局装置との無線通信を行う移動局と、
を備えている通信システム。
【請求項７】
下りリンク用の所定の周波数帯域内における互いに異なる周波数帯域を持つ複数のコンポーネントキャリアのうちで、上りリンク用の制御情報を含む下りリンク制御情報をマッピングする前記コンポーネントキャリアを変更するために必要な所定の情報を取得し、
その取得した情報と、所定の処理手順とに基づいて、前記下りリンク制御情報のマッピング対象の前記コンポーネントキャリアを変更するマッピング制御方法。
【請求項８】
基地局装置に、
下りリンク用の所定の周波数帯域内における互いに異なる周波数帯域を持つ複数のコンポーネントキャリアのうちで、上りリンク用の制御情報を含む下りリンク制御情報をマッピングする前記コンポーネントキャリアを、所定の処理手順に基づいて変更する処理を行わせるプログラム。
【手続補正２】
【補正対象書類名】明細書
【補正対象項目名】全文
【補正方法】変更
【補正の内容】
【発明の詳細な説明】
【技術分野】
【０００１】
本発明は、無線通信に関わる基地局装置、通信システム、マッピング制御方法およびプログラムに関する。
【背景技術】
【０００２】
近年、ＬＴＥ（Long Term Evolution）と呼ばれる通信方式が、３ＧＰＰ（3rd Generation Partnership Project）により検討され、標準化されている（例えば、非特許文献１参照）。そのＬＴＥは、Ｗ−ＣＤＭＡ（Wideband Code Division Multiple Access）やＨＳＤＰＡ（High Speed Downlink Packet Access）、ＨＳＵＰＡ（High Speed Uplink Packet Access）の後継となる通信方式である。
【０００３】
ＬＴＥでは、複数のユーザ装置（ＵＥ）が、上りリンク、下りリンク共に１つないし２つ以上の物理チャネルを共有して通信を行う。複数のユーザ装置（ＵＥ）で共有するチャネルは、一般に共有チャネルと呼ばれる。ＬＴＥでは、上りリンクにおいては上り共有物理チャネル（ＰＵＳＣＨ（Physical Uplink Shared CHannel））と呼ばれ、下りリンクにおいては下り共有物理チャネル（ＰＤＳＣＨ（Physical Downlink Shared CHannel））と呼ばれる。
【０００４】
なお、上述した共有チャネルを用いた通信システムにおいては、サブフレーム（Sub-frame）毎に、どのユーザ装置（ＵＥ）に対して上記共有チャネルを割り当てるかをシグナリングすることが必要である。そのシグナリングのために用いられる制御チャネルは、ＬＴＥでは、物理下りリンク制御チャネル（ＰＤＣＣＨ（Physical Downlink Control CHannel））と呼ばれる。または、その制御チャネルは、ＤＬ Ｌ１／Ｌ２ ＣＣＨ（Downlink L1/L2 Control CHannel）と呼ばれることもある。上記した物理下りリンク制御チャネル（ＰＤＣＣＨ）には、下りリンク制御情報（ＤＣＩ（Downlink Control Information））がマッピングされる。
【０００５】
基地局は、ＤＣＩがマッピングされた物理下りリンク制御チャネル（ＰＤＣＣＨ）をユーザ装置（ＵＥ）に送信する。ユーザ装置（ＵＥ）は、ＰＤＣＣＨにマッピングされているＤＣＩに基づいて、上り共有物理チャネル（ＰＵＳＣＨ）を基地局に送信する。基地局は、ユーザ装置（ＵＥ）から送信された上り共有物理チャネル（ＰＵＳＣＨ）を受信し復号する。
【０００６】
なお、近年では、ＬＴＥ−Ａ（Long Term Evolution-Advanced）のように下りリンク用の周波数帯域幅と上りリンク用の周波数帯域幅が異なる場合に、上りリンク用の制御情報を含むＤＣＩを効率的に送信（伝達）することが所望されている。
【０００７】
ところで、例えば、特許文献１には、制御チャネルに用いる無線リソース量を通知する技術が開示されている。
【０００８】
また、特許文献２には、基地局装置２００が端末装置から受信した受信状態情報に基づき、該端末装置に通信データを送信するチャネルを割り当てる技術が開示されている。
【０００９】
さらに、特許文献３には、上りリンク制御チャネルに制御情報を効率的に多重し、無線リソースを効率的に使用する技術が開示されている。
【先行技術文献】
【特許文献】
【００１０】
【特許文献１】特開２００８−２７８３４１号公報
【特許文献２】特開２００８−２７１１９９号公報
【特許文献３】特開２００９−４９５３９号公報
【非特許文献】
【００１１】
【非特許文献１】3GPP TS 36.212 (V8.5.0), "Multiplexing and channel coding",December 2008
【発明の概要】
【発明が解決しようとする課題】
【００１２】
しかしながら、上記特許文献１には、上記したように、制御チャネルに用いる無線リソース量を通知する技術は開示されているが、上りリンク用の制御情報を含むＤＣＩを効率的に伝達するための技術は開示されていない。また、上記特許文献２，３には、無線リソースを効率的に使用するための技術は開示されているが、特許文献１と同様に、上りリンク用の制御情報を含むＤＣＩを効率的に伝達するための技術は開示されていない。
【００１３】
本発明は上記事情に鑑みてなされたものである。つまり、本発明の目的は、上りリンク用の制御情報を含む下りリンク制御情報を効率的に伝達することが可能な基地局装置、通信システム、マッピング制御方法及びプログラムを提供することにある。
【課題を解決するための手段】
【００１４】
本発明の基地局装置は、
下りリンク用の所定の周波数帯域内における互いに異なる周波数帯域を持つ複数のコンポーネントキャリアのうちで、上りリンク用の制御情報を含む下りリンク制御情報をマッピングする前記コンポーネントキャリアを、所定の処理手順に従って変更する変更手段を備えている。
【００１５】
本発明の通信システムは、
上記本発明の基地局装置と、
前記基地局装置から取得した上りリンク用の制御情報および下りリンク制御情報に基づいて前記基地局装置との無線通信を行う移動局と、
を備えている。
【００１６】
本発明のマッピング制御方法は、
下りリンク用の所定の周波数帯域内における互いに異なる周波数帯域を持つ複数のコンポーネントキャリアのうちで、上りリンク用の制御情報を含む下りリンク制御情報をマッピングする前記コンポーネントキャリアを変更するために必要な所定の情報を取得し、
その取得した情報と、所定の処理手順とに基づいて、前記下りリンク制御情報のマッピング対象の前記コンポーネントキャリアを変更する。
【００１７】
本発明のプログラムは、
基地局装置に、
下りリンク用の所定の周波数帯域内における互いに異なる周波数帯域を持つ複数のコンポーネントキャリアのうちで、上りリンク用の制御情報を含む下りリンク制御情報をマッピングする前記コンポーネントキャリアを、所定の処理手順に基づいて変更する処理を行わせる。
【発明の効果】
【００１８】
本発明によれば、上りリンク用の制御情報を含む下りリンク制御情報を効率的に伝達することができる。
【図面の簡単な説明】
【００１９】
【図１ａ】図１ａは、第１実施形態の基地局装置を説明するためのブロック図である。
【図１ｂ】図１ｂは、第１実施形態の基地局装置にプログラムを与えるプログラム記録媒体を含む基地局装置のブロック構成図である。
【図１ｃ】図１ｃは、第１実施形態の基地局装置におけるマッピング制御処理の手順を表した図である。
【図１ｄ】図１ｄは、第１実施形態の基地局装置を含む通信システムの一例を表したブロック図である。
【図２】図２は、第２実施形態の通信システムのシステム構成例を示す図である。
【図３】図３は、基地局装置と移動局の内部構成例を示すブロック図である。
【図４】図４は、下りリンクと上りリンクの周波数帯域の区分例を示す図である。
【図５】図５は、上りリンク用の制御情報を含むＤＣＩ（Downlink Control Information）をＣＣ（Component Carrier）にマッピングする例を説明するための図である。
【図６】図６は、ＤＣＩをＣＣにマッピングするその他の例を説明するための図である。
【発明を実施するための形態】
【００２０】
［第１実施形態］
図１ａに示されるように、第１実施形態の基地局装置１は、変更手段である変更部２を備えている。この第１実施形態では、下りリンク用の所定の周波数帯域には、互いに異なる周波数帯域を持つ複数のコンポーネントキャリアが設定されている。変更部２は、そのような複数のコンポーネントキャリアのうちで、上りリンク用の制御情報を含む下りリンク制御情報をマッピングする前記コンポーネントキャリアを、所定の処理手順に従って変更する機能を備えている。
【００２１】
この第１実施形態では、基地局装置１は、前記上りリンク用の制御情報を含む前記下りリンク制御情報をマッピングする前記コンポーネントキャリアを次のように変更する。
【００２２】
例えば、まず、前記上りリンク用の制御情報を含む前記下りリンク制御情報をマッピングする前記コンポーネントキャリアを変更するために必要な所定の情報を取得する（図１ｃのステップＳ１）。
【００２３】
次に、その取得した情報と、所定の処理手順とに基づいて、前記下りリンク制御情報のマッピング対象の前記コンポーネントキャリアを変更する（ステップＳ２）。
【００２４】
このような基地局装置１の動作（制御）手順を実行させるためのプログラムは、図１ｂの点線に示されるようなプログラム記録媒体３に記録されている。基地局装置１は、そのプログラム記録媒体３の前記プログラムに従って動作することにより、上記のように前記下りリンク制御情報のマッピング対象の前記コンポーネントキャリアを変更する。
【００２５】
この第１実施形態の基地局装置１では、上記のように、前記下りリンク制御情報のマッピング対象の前記コンポーネントキャリアを変更するので、前記下りリンク制御情報を効率的に送信相手に送信できる。つまり、下りリンク用の複数のコンポーネントキャリアは、それぞれ、回線品質（回線状態）が様々な原因により変化する。このために、前記下りリンク制御情報のマッピング対象の前記コンポーネントキャリアを変更しないと、次のような問題が生じる。つまり、マッピング対象として固定的に設定されたコンポーネントキャリアの回線品質が悪化している状態が継続すると、下りリンク制御情報を効率的に伝達できないという問題が生じる。これに対して、この第１実施形態では、上記のように、基地局装置１は、下りリンク制御情報のマッピング対象の前記コンポーネントキャリアを変更できる。このため、例えば、基地局装置１は、回線品質の監視情報に基づき回線品質のよいコンポーネントキャリアに下りリンク制御情報がマッピングされるようにマッピング対象のコンポーネントキャリアを変更する。これにより、基地局装置１は、下りリンク制御情報を効率的に送信（伝達）できるようになる。
【００２６】
上記のような基地局装置１は、図１ｄに示されるような通信システム５を構築できる。つまり、通信システム５は、基地局装置１と、移動局６とを備えている。移動局６は、基地局装置１から取得した上りリンク制御用の制御情報および下りリンク制御情報に基づいて基地局装置１との無線通信を行う機能を備えている。
【００２７】
この通信システム５においては、基地局装置１を備えているので、基地局装置１から移動局６に、下りリンク制御情報を効率的に送信（伝達）することができる。これにより、例えば、基地局装置１と移動局６との間におけるデータ通信の高速化を図ることができる。
【００２８】
［第２実施形態］
まず、図２を参照しながら、第２実施形態の通信システムの概要について説明する。
【００２９】
第２実施形態の通信システムは、基地局（基地局装置）１００と、移動局２００−１〜ｎとを含む通信システムである。
【００３０】
この第２実施形態では、基地局１００は、変更部（変更手段）１１と、送信部１２とを備えている。変更部１１は、上りリンク用の制御情報を含む下りリンク制御情報（ＤＣＩ（Downlink Control Information））をマッピングするコンポーネントキャリア（ＣＣ（Component Carrier））を変更する機能を備えている。送信部１２は、ＣＣを変調した物理下りリンク制御チャネル（ＰＤＣＣＨ（Physical Downlink Control CHannel））を移動局２００−１〜ｎに向けて送信する機能を備えている。
【００３１】
この第２実施形態では、移動局２００−１〜ｎは、受信部２１と、取得部２２と、送信部２３とを備えている。受信部２１は、基地局１００から送信されたＰＤＣＣＨを受信する機能を備えている。取得部２２は、ＰＤＣＣＨのＣＣにマッピングされたＤＣＩを取得する（デマッピングする）機能を備えている。送信部２３は、取得部２２が取得したＤＣＩに含まれる上りリンク用の制御情報を基に、上り共有物理チャネル（ＰＵＳＣＨ（Physical Uplink Shared CHannel））を基地局１００に送信する機能を備えている。
【００３２】
第２実施形態の通信システムでは、上記構成を有することで、基地局１００は、移動局２００−１〜ｎに、上りリンク用の制御情報を含むＤＣＩ（Downlink Control Information）を効率的に送信できる。
【００３３】
（システム構成）
以下、添付図面を参照しながら、第２実施形態の通信システムについて詳細に説明する。
【００３４】
まず、図２を参照しながら、第２実施形態の通信システムのシステム構成例について説明する。第２実施形態の通信システムは、例えば、Ｅ−ＵＴＲＡ（Evolved Universal Terrestrial Radio Access）やＵＴＲＡＮ（ＵＭＴＳ(Universal Mobile Telecommunication System) Terrestrial Radio Access Network）等に適用可能である。
【００３５】
第２実施形態の通信システムは、基地局１００と、移動局２００−１〜ｎ（ｎは任意の整数）と備えている。第２実施形態の通信システムでは、基地局１００の配下に存在する移動局２００−１〜ｎは、基地局１００に接続し、当該基地局１００を介してコアネットワーク（ＣＮ）と通信を行うことになる。
【００３６】
第２実施形態の基地局１００は、図３に示すように、ＤＣＩ（Downlink Control Information）生成部１０１と、符号化部１０２と、ＣＣ（Component Carrier）マッピング部１０３とを備えている。当該基地局１００は、さらに、制御部１０４と、送受信部１０５と、ＣＣデマッピング部１０６と、復号部１０７と備えている。
【００３７】
第２実施形態の移動局２００−１〜ｎは、図３に示すように、送受信部２０１と、ＣＣデマッピング部２０２と、ブラインド復号部２０３と、ＤＣＩ検出部２０４とを備えている。当該移動局２００−１〜ｎは、さらに、ＵＬ−ＳＣＨ（UpLink-Shared CHannel）生成部２０５と、符号化部２０６と、ＣＣマッピング部２０７と備えている。
【００３８】
基地局１００のＤＣＩ生成部１０１は、ＤＣＩを生成する機能を備えている。例えば、ＤＣＩ生成部１０１は、上りリンクや下りリンクのリソース割当情報、ＨＡＲＱ（Hybrid Automatic Repeat reQuest）に関する情報、ＡＭＣ（Adaptive Modulation and Coding）に関する情報等をＤＣＩとして生成する。例えば、ＬＴＥ（Long Term Evolution）標準化上では、下りリンク制御情報（ＤＣＩ）に多重する上りリンク用の制御情報は、format0と定義されている。
【００３９】
図４に、ＬＴＥ−Ａ（Long Term Evolution-Advanced）で想定されているＬＴＥを拡張した周波数割当の例を示す。ここでは、ＬＴＥと基本的に同様な基本周波数帯域を２０ＭHz帯域幅のコンポーネントキャリア（ＣＣ（Component Carrier））として使用する。例えば、図４では、下りリンク用の周波数帯域幅は１００ＭHz帯域幅である。その下りリンク用の周波数帯域には、５つのＣＣ（下りＣＣ）が設定されている。また、上りリンク用の周波数帯域幅は４０ＭHz帯域幅である。その上りリンク用の周波数帯域には、２つのＣＣ（上りＣＣ）が設定されている。
【００４０】
第２実施形態の通信システムにおいて、ＣＣ毎にＨＡＲＱやＡＭＣの制御を行う場合、ＣＣ毎に独立した上りリンク用の制御情報が必要となる。例えば、図４の例では、上りリンクには２つの上りＣＣが設定されているため、上りリンク用の制御情報が２つ必要である。この場合、基地局１００は、その２つの上りリンク用の制御情報（format0の制御情報）を、それぞれ、下りリンクで使用する５つの下りＣＣのどこかにＤＣＩとしてマッピングすることになる。そのマッピングは次のように行われる。
【００４１】
すなわち、図３に示される基地局１００の制御部１０４は、移動局２００から報告された周波数帯域に関する情報を基に、移動局２００が使用する周波数帯域（ＣＣ）を確認する。これにより、制御部１０４は、上りリンクで上りリンク用の制御情報が２つ必要なことを把握する。
【００４２】
ＤＣＩ生成部１０１は、上りリンクで必要とする上りリンク用の制御情報（format0の制御情報）を含んだＤＣＩを生成する。符号化部１０２は、ＤＣＩ生成部１０１で生成したＤＣＩの符号化処理を行う。制御部１０４は、下りリンクで使用する５つの下りＣＣの中からＤＣＩをマッピングするＣＣを後述のように決定する。つまり、制御部１０４は、上りリンク用の制御情報を含んだＤＣＩをマッピングするＣＣを変更する変更部（変更手段）としての機能を備えている。
【００４３】
ＣＣマッピング部１０３は、制御部１０４が決定したＣＣにＤＣＩをマッピングする。送受信部１０５は、下りリンクに使用するＣＣを変調処理し、当該変調後のＣＣをＰＤＣＣＨ（Physical Downlink Control CHannel）として送信する。
【００４４】
移動局２００は、基地局１００が送信したＰＤＣＣＨを受信する。送受信部２０１は、移動局２００が受信したＰＤＣＣＨを復調する。ＣＣデマッピング部２０２は、多重されている下りＣＣからＤＣＩをデマッピングする。ブラインド復号部２０３は、ＤＣＩの復号処理を行う。ＤＣＩ検出部２０４は、自局２００宛のＤＣＩを検出する。つまり、ＤＣＩにはＣＲＣ（Cyclic Redundancy Check）が含まれている。当該ＣＲＣには、ＤＣＩの宛先である移動局２００固有の番号が多重化されている。その固有の番号によって自局２００宛のＤＣＩのみがＣＲＣ ＯＫとなるため、ＤＣＩ検出部２０４は、自局２００宛のＤＣＩを検出できる。第２実施形態では、ＤＣＩ検出部２０４で検出した自局２００宛のＤＣＩの中で上りリンク用の制御情報（format0の制御情報）を上りリンクのＰＵＳＣＨ（Physical Uplink Shared CHannel）の制御に利用する。
【００４５】
ＵＬ−ＳＣＨ生成部２０５は、上りデータチャネルを生成する。符号化部２０６は、上りデータチャネルの符号化処理を行う。ＣＣマッピング部２０７は、ＤＣＩ検出部２０４で検出した上りリンク用の制御情報を基に、リソース割当、ＨＡＲＱ、ＡＭＣ等の制御を行う。さらに、ＣＣマッピング部２０７は、上りリンクで使用する２つの上りＣＣに制御情報をマッピングする。送受信部２０１は、上りリンクに使用するＣＣの変調処理を行い、変調後のＣＣをＰＵＳＣＨ（Physical Uplink Shared CHannel）として送信する。
【００４６】
基地局１００は、移動局２００が送信したＰＵＳＣＨを受信する。送受信部１０５は、基地局１００が受信したＰＵＳＣＨを復調する。ＣＣデマッピング部１０６は、多重化されている上りＣＣから制御情報をデマッピングする。復号部１０７は、制御情報の復号処理を行う。制御部１０４は、復号部１０７で復号処理を行って得られた制御情報（例えば、ＣＱＩ（Channel Quality Information））を利用し、下りリンクで使用する５つの下りＣＣの中からＤＣＩをマッピングするＣＣを後述のように決定する。
【００４７】
（上りリンク用の制御情報を含んだＤＣＩのマッピングの処理動作）
次に、上りリンク用の制御情報を含んだＤＣＩをＣＣにマッピングする際の処理動作について説明する。上りリンク用の制御情報を含んだＤＣＩをＣＣにマッピングする例を図５に示す。
【００４８】
図５に示す表において、各行は、下りリンク用の周波数帯域に設定されたＣＣの『下りＣＣ番号』を示し、各列は、下りＣＣにマッピングする『ＤＣＩ番号』を示す。
【００４９】
この例では、下りリンク用の周波数帯域幅は１００ＭHz帯域幅である。下りリンク用の周波数帯域には、図４に示されるような２０ＭHz帯域幅の下りＣＣ（ＣＣ＃０〜ＣＣ＃４）が５つ設定されている。また、上りリンク用の周波数帯域幅は４０ＭHz帯域幅である。上りリンク用の周波数帯域には、２０ＭHz帯域幅の上りＣＣ（ＣＣ＃０〜ＣＣ＃１）が２つ設定されている。このように下りＣＣと上りＣＣが設定されている場合には、２つの上りＣＣのための制御情報（上りリンク用の制御情報）を下りＣＣに割り当てる組み合わせは、図５に示すように１５通りの組み合わせになる。
【００５０】
図５において、丸（○）は、上りリンク用の制御情報を含んだＤＣＩをマッピングする下りＣＣの場所、及び、上りリンク用の制御情報として使用するＤＣＩの番号を示す。図５では、上りリンク用の制御情報を含んだ２つのＤＣＩを同じ下りＣＣにマッピングする場合も考慮している。例えば、図５に示す表（１）は、下りＣＣ番号＝０に２つのＤＣＩをマッピングする場合を示している。
【００５１】
なお、図５では、１つの移動局２００に対する上りリンク用の制御情報を含ませたＤＣＩを下りＣＣにマッピングする場合のマッピング例を示した。これに対して、複数の移動局２００に対してそれぞれ上りリンク用の制御情報を送信する場合には、基地局１００は、各移動局２００に対応する上りリンク用の制御情報を含んだＤＣＩを動的に下りＣＣにマッピングすることになる。
【００５２】
この第２実施形態では、例えば、基地局１００は、上記のような図５におけるマッピング対象のＣＣの組み合わせの全て又は一部を使用し、周期的（例えば、ＴＴＩ（Transmit Time Interval）毎）にＤＣＩをマッピングするＣＣを変更する。このように、マッピング対象のＣＣを、周期的に、変更することによって、基地局１００は、制御を簡単にしつつ、ある程度の周波数ダイバーシティ効果を得ることができる。
【００５３】
また、通信品質を向上させるためには、各移動局２００で測定して基地局１００に報告される回線品質を表すＣＱＩ（Channel Quality Information）を利用することが好ましい。つまり、この場合には、基地局１００は、移動局２００がＣＣ毎に測定したＣＱＩを基に、回線品質のよい周波数帯域（下りＣＣ）を検知する。そして、基地局１００は、その回線品質のよい下りＣＣから、上りリンク用の制御情報を含んだＤＣＩを優先的にマッピングするように制御する。例えば、移動局２００から取得したＣＱＩを基に、回線品質のよい下りＣＣの順番が、ＣＣ＃２→ＣＣ＃４→ＣＣ＃０→ＣＣ＃１→ＣＣ＃３であると基地局１００が判断したとする。この場合には、基地局１００は、上りリンク用の制御情報を含む２つのＤＣＩを、それぞれ、ＣＣ＃２とＣＣ＃４とにマッピングするように制御する。
【００５４】
また、複数の移動局２００が存在する場合、基地局１００は、各移動局２００の下りＣＱＩを基にスケジューリングを行う。そして、基地局１００は、各移動局２００に必要な下りＣＣを各移動局２００に割り当る。さらに、基地局１００は、その各移動局２００に割り当てた下りＣＣにＤＣＩをマッピングする。ただし、下りＣＣにマッピング可能なＤＣＩの数は限られる。このため、下りＣＣにマッピング可能なＤＣＩの数をも考慮して各移動局２００に下りＣＣを割り当てるようにスケジューリングすることが好ましい。
【００５５】
なお、上りリンクに使用するＣＣ＃０とＣＣ＃１での無線通信のための２つの上りリンク用の制御情報に優先度を持たせる場合には、その上りリンク用の制御情報を含むＤＣＩに優先度を持たせるように規定することもできる。このようにＤＣＩに優先度を持たせる場合は、ＤＣＩをマッピングする下りＣＣの組み合わせは、図６に示すように、３０通りになる。
【００５６】
図６において、丸（○）の中の番号がＤＣＩの優先度を示す。上記のようにＤＣＩが優先度を持つ場合には、優先度１のＤＣＩ（つまり、優先度の高いＤＣＩ）から順番に下りリンクのＣＣに割り当てる。例えば、上りＣＣ＃０→ＣＣ＃１の優先度が設定されているとする。図６における表（１）では、下りＣＣ番号＝０、ＤＣＩ番号＝０のＤＣＩが優先度１であり、下りＣＣ番号＝０、ＤＣＩ番号＝１のＤＣＩが優先度２である。この場合、下りＣＣ番号＝０、ＤＣＩ番号＝０のＤＣＩに含まれる上りリンク用の制御情報を上りリンクのＣＣ＃０に割り当る。また、下りＣＣ番号＝０、ＤＣＩ番号＝１のＤＣＩに含まれる上りリンク用の制御情報を上りリンクのＣＣ＃１に割り当てる。また、移動局２００から取得したＣＱＩを基に、回線品質のよい下りＣＣの順番が、ＣＣ＃２→ＣＣ＃４→ＣＣ＃０→ＣＣ＃１→ＣＣ＃３であると基地局１００が判断したとする。この場合には、回線品質のよい下りＣＣ＃２から優先的にＤＣＩをマッピングする。
【００５７】
（通信システムの作用・効果）
ＬＴＥ−Ａのように、下りリンクで使用する周波数帯域幅と、上りリンクで使用する周波数帯域幅とが異なる場合がある。このような場合に、第２実施形態の通信システムでは、基地局１００は、上りリンク用の制御情報を含むＤＣＩ（Downlink Control Information）をマッピングするマッピング対象のＣＣ（Component Carrier）を変更できる。例えば、基地局１００は、マッピング対象のＣＣを周期的に変更する。これにより、制御を簡単にしつつ、ある程度の周波数ダイバーシティ効果を得ることができる。
【００５８】
また、例えば、基地局１００は、移動局２００から取得したＣＱＩ（Channel Quality Information）に応じてＣＣを変更することによって、通信品質を向上させることができる。
【００５９】
さらに、複数の移動局２００−１〜ｎが存在する場合には、基地局１００は、例えば、各移動局２００−１〜ｎのＣＱＩや下りＣＣにマッピング可能なＤＣＩの上限数等を考慮して、各移動局２００−１〜ｎに下りＣＣを動的に割り当てる。そして、基地局１００は、その各移動局２００−１〜ｎに動的に割り当てた下りＣＣにＤＣＩをマッピングする。このようにＤＣＩをＣＣにマッピングすることで、基地局１００は、各移動局２００−１〜ｎに向けて、効率的にＤＣＩを送信できる。
【００６０】
［その他の実施形態］
なお、上述した各実施形態は、本発明の好適な実施形態であり、上記実施形態のみに本発明の範囲を限定するものではなく、本発明の要旨を逸脱しない範囲において種々の変更を施した形態での実施が可能である。
【００６１】
例えば、各実施形態における通信システムは、３ＧＰＰのVersionには依存せずに処理を行うことが可能である。
【００６２】
また、上述した各実施形態における通信システムを構成する各装置における制御動作は、ハードウェア、または、ソフトウェア、あるいは、両者の複合構成を用いて実行することも可能である。
【００６３】
なお、ソフトウェアを用いて処理を実行する場合には、処理シーケンス（処理手順）を記録したプログラムが、専用のハードウェアに組み込まれているコンピュータ内のメモリにインストールされる。そして、そのコンピュータがメモリのプログラムに従って動作することにより前記処理が実行される。あるいは、各種処理が実行可能な汎用コンピュータのメモリにプログラムをインストールすることにより、その汎用コンピュータによって処理が実行される。
【００６４】
例えば、プログラムは、記録媒体としてのハードディスクやＲＯＭ（Read Only Memory）に予め記録しておくことが可能である。あるいは、プログラムは、リムーバブル記録媒体に、一時的、あるいは、永続的に格納（記録）しておくことが可能である。このようなリムーバブル記録媒体は、いわゆるパッケージソフトウエアとして提供することが可能である。リムーバブル記録媒体としては、フロッピー（登録商標）ディスク、ＣＤ−ＲＯＭ（Compact Disc Read Only Memory）、ＭＯ（Magneto optical）ディスク、ＤＶＤ（Digital Versatile Disc）、磁気ディスク、半導体メモリなどが挙げられる。
【００６５】
なお、プログラムは、上述したようなリムーバブル記録媒体からコンピュータにインストールすることになる。または、ダウンロードサイトから、コンピュータに無線転送することになる。または、ネットワークを介して、コンピュータに有線で転送することになる。
【００６６】
また、各実施形態における通信システムは、各実施形態で説明した処理動作に従って時系列的に処理を実行するだけではない。例えば、通信システムは、処理を実行する装置の処理能力、あるいは、必要に応じて並列的にあるいは個別に処理を実行するように構築することも可能である。
【００６７】
また、各実施形態における通信システムは、複数の装置の論理的集合構成にしたり、各構成の装置が同一筐体内に存在する構成にするように構築することが可能である。
【００６８】
さらに、その他の実施形態として、基地局は、上りリンク用の制御情報を含むＤＣＩ（Downlink Control Information）をマッピングするＣＣ（Component Carrier）を変更する変更手段を有していてもよい。
【００６９】
さらに、その他の実施形態として、移動局は、
上りリンク用の制御情報を含むＤＣＩ（Downlink Control Information）をマッピングしたＣＣ（Component Carrier）を変調したＰＤＣＣＨ（Physical Downlink Control CHannel）を受信する受信手段と、
前記ＰＤＣＣＨの前記ＣＣにマッピングされた前記ＤＣＩを取得する取得手段と、
前記取得手段により取得した前記ＤＣＩに含まれる上りリンク用の制御情報を基に、ＰＵＳＣＨ（Physical Uplink Shared CHannel）を送信する送信手段と、
を備える。
【００７０】
さらに、その他の実施形態として、通信システムは、基地局と、移動局と、を少なくとも有して構成する通信システムであって、
前記基地局は、
上りリンク用の制御情報を含むＤＣＩ（Downlink Control Information）をマッピングするＣＣ（Component Carrier）を変更する変更手段と、
前記ＣＣを変調したＰＤＣＣＨ（Physical Downlink Control CHannel）を前記移動局に送信する送信手段と、
を備える。
【００７１】
さらに、その他の実施形態として、制御方法は、基地局で行う制御方法であって、上りリンク用の制御情報を含むＤＣＩ（Downlink Control Information）をマッピングするＣＣ（Component Carrier）を変更する変更工程を有する。
【００７２】
さらに、移動局で行う制御方法は、
上りリンク用の制御情報を含むＤＣＩ（Downlink Control Information）をマッピングしたＣＣ（Component Carrier）を変調したＰＤＣＣＨ（Physical Downlink Control CHannel）を受信する受信工程と、
前記ＰＤＣＣＨの前記ＣＣにマッピングされた前記ＤＣＩを取得する取得工程と、
前記取得工程により取得した前記ＤＣＩに含まれる上りリンク用の制御情報を基に、ＰＵＳＣＨ（Physical Uplink Shared CHannel）を送信する送信工程と、
を有する。
【００７３】
さらに、その他の実施形態として、基地局に実行させるプログラムは、上りリンク用の制御情報を含むＤＣＩ（Downlink Control Information）をマッピングするＣＣ（Component Carrier）を変更する変更処理を、コンピュータに実行させるものである。
【００７４】
さらに、その他の実施形態として、移動局に実行させるプログラムは、
上りリンク用の制御情報を含むＤＣＩ（Downlink Control Information）をマッピングしたＣＣ（Component Carrier）を変調したＰＤＣＣＨ（Physical Downlink Control CHannel）を受信する受信処理と、
前記ＰＤＣＣＨの前記ＣＣにマッピングされた前記ＤＣＩを取得する取得処理と、
前記取得処理により取得した前記ＤＣＩに含まれる上りリンク用の制御情報を基に、ＰＵＳＣＨ（Physical Uplink Shared CHannel）を送信する送信処理と、
を、コンピュータに実行させる。
【００７５】
前述した特許文献１〜３や、非特許文献１には、上りリンク用の制御情報を含むＤＣＩ（Downlink Control Information）をマッピングするＣＣ（Component Carrier）を変更する点については何ら記載も示唆もされていない。これに対して、上記のようなその他の実施形態の基地局や通信システムや制御方法やプログラムを備えることによって、上りリンク用の制御情報を含むＤＣＩをマッピングするＣＣを変更できる。
【００７６】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００７７】
なお、この出願は、２００９年５月２５日に出願された日本出願特願２００９−１２５４３５を基礎とする優先権を主張し、その開示の全てをここに取り込む。
【産業上の利用可能性】
【００７８】
本発明は、基地局装置を介した無線通信のシステムに有効である。
【符号の説明】
【００７９】
１００    基地局
２００−１〜ｎ    移動局
１０１    ＤＣＩ生成部
１０２    符号化部
１０３    ＣＣマッピング部
１０４    制御部
１０５    送受信部
１０６    ＣＣデマッピング部
１０７    復号部
２０１    送受信部
２０２    ＣＣデマッピング部
２０３    ブラインド復号部
２０４    ＤＣＩ検出部
２０５    ＵＬ−ＣＳＨ生成部
２０６    符号化部
２０７    ＣＣマッピング部
【国際調査報告】
2010137672.tif 000012
2010137672.tif 000013